(57)【要約】【課題】食品が収容されたカップ形容器の曲面に沿って効率よく取り付けられ、食品を食べるときは、カップ形容器から取り外して持ちやすいように組み立てて、容易に食べることができる飲食用具を提供する。【解決手段】合成樹脂で一体に設けられ、一方向に長い薄板状の持ち手１２と、持ち手１２の一方の端部に形成され食品を保持する保持部１６が設けられ、持ち手１２の長手方向と直交する幅方向から見た形状は、１個の仮想円に沿って長手方向が全体に湾曲した円弧形である。持ち手１２の途中には、円弧形の途中から持ち手１２を長手方向の軸回りに１８０°反転させて係止するジョイント部１８を有する。ジョイント部１８で持ち手１２を略１８０°反転させると、持ち手１２が複数個の連続する仮想円に沿って長手方向に全体が波形となる。【選択図】図１
2014045930.tif 000002
【特許請求の範囲】
【請求項１】
合成樹脂で一体に設けられ、一方向に長い薄板状の持ち手と、前記持ち手の一方の端部に形成され食品に接して保持する保持部が設けられ、前記持ち手の長手方向と直交する幅方向から見た形状は１個の仮想円に沿って長手方向が全体に湾曲した円弧形であり、前記持ち手の途中には円弧形の途中から前記持ち手を長手方向の軸回りに略１８０°反転させて係止するジョイント部が設けられ、前記ジョイント部で前記持ち手を略１８０°反転させると、前記持ち手が複数個の連続する仮想円に沿って長手方向が全体に波形となり、前記円弧形の状態で、食品が収容され曲面を有するカップ形容器の側面に沿って取り付けられ、カップ形容器に収容された食品を食べるときは、カップ形容器から外して前記ジョイント部で前記持ち手の途中から略１８０°反転させて前記波形とすることを特徴とする飲食用具。
【請求項２】
前記ジョイント部は、前記ジョイント部で分割される持ち手の一対のパーツの端部に形成され前記持ち手の長手方向に延出する一対の重なり部と、前記一対の重なり部を長手方向の側縁部同士を隣接させて連結する薄肉のヒンジ部とが設けられ、前記一対の重なり部は、前記ヒンジ部により合掌状態で互いに重ねられ、前記一対の重なり部には、互いに重ねた状態で係止する突部と前記突部が嵌合される凹部が設けられ、前記飲食用具は、前記ヒンジ部が開かれ前記一対の重なり部が隣接した状態では、前記飲食用具の長手方向が前記円弧形であり、前記ヒンジ部が閉じられ前記一対の重なり部が重ねられた状態では、前記持ち手を略１８０°反転させた状態となり、前記飲食用具の長手方向が前記波形となる請求項１記載の飲食用具。
【請求項３】
前記飲食用具の前記円弧形の外周面には、長手方向に沿う一対の側縁部に一定の高さで補強用のリブが設けられ、前記リブの、前記外周面から立ち上がる高さは、前記持ち手の厚みとほぼ同じであり、前記一対の重なり部は前記持ち手の厚みとほぼ同じであり、前記ジョイント部で前記一対の重なり部を閉じたとき、前記一方の重なり部は前記他方の重なり部の前記リブと面一となる請求項１又は２記載の飲食用具。
【請求項４】
前記飲食用具は、前記円弧形の内周面は平坦な曲面である請求項１記載の飲食用具。
【請求項５】
前記円弧形状は、中心角度が１８０°以下である請求項１記載の飲食用具。
【請求項６】
前記飲食用具は、前記保持部の先端部に溝が平行に形成されたフォークである請求項１記載の飲食用具。
【発明の詳細な説明】
【技術分野】
【０００１】
この発明は、カップ形容器に取り付けられ、カップ形容器に収容された食品を食べる際に取り外して食べるために使用する飲食用具に関する。
【背景技術】
【０００２】
従来、お湯を注いで調理する食品や、調理済みの食品が入れられたカップ形容器に、スプーンやフォーク等の飲食用具が取り付けられたものがある。これは、屋外で飲食用具が準備できないとき等に便利である。例えば、特許文献１に開示されている食器等のための収納部が設けられた食品用包装筒は、食品が入れられたカップを包囲するための筒体状の周壁部と、周壁部と一体であると共に周壁部の一側縁から内側に折り曲げられた舌部が設けられ、舌部と周壁の間には、平坦な平面状の収容領域が構成されている。そして、この収容領域にスプーンまたはフォークを収納するものである。
【０００３】
また、特許文献２に開示されているカップ状容器は、食品が入れられた容器本体の容器体周壁の上端部に付設した外向きフランジが設けられ、このフランジの外縁部に、破断線を介して飲食用具が一体に設けられている。そして、容器体本体と飲食用具の各上面には、剥離可能に貼着された補強材兼用の覆合板が設けられている。
【先行技術文献】
【特許文献】
【０００４】
【特許文献１】特開２００７−１３７５０８号公報
【特許文献２】特開２００４−３３１０８６号公報
【発明の概要】
【発明が解決しようとする課題】
【０００５】
上記背景技術の場合、曲線で形成されたカップ形容器の外側に直線状に形成された飲食用具が取り付けられているため、かさばって大きくなり、店頭に陳列したり運搬したりする際に無駄なスペースをとり、効率が良くなかった。また、カップ形容器の外側面に沿う曲線で飲食用具を作るとカップ形容器に効率よく取り付けることができるが、湾曲が強く、食べるときに持ちにくいという問題がある。
【０００６】
この発明は、上記背景技術の問題点に鑑みてなされたものであり、食品が収容されたカップ形容器の曲面に沿って効率よく取り付けられ、カップ形容器に収容されている食品を食べるときは、カップ形容器から取り外して持ちやすいように組み立てて容易に食べることができる飲食用具を提供することを目的とする。
【課題を解決するための手段】
【０００７】
この発明は、合成樹脂で一体に設けられ、一方向に長い薄板状の持ち手と、前記持ち手の一方の端部に形成され食品に接して保持する保持部が設けられ、前記持ち手の長手方向と直交する幅方向と直角方向から見た形状は１個の仮想円に沿って長手方向が全体に湾曲した円弧形であり、前記持ち手の途中には円弧形の途中から前記持ち手を長手方向の軸回りに略１８０°反転させて係止するジョイント部が１個または複数個設けられ、前記ジョイント部で前記持ち手を略１８０°反転させると、前記持ち手が複数個の連続する仮想円に沿って長手方向が全体に波形となる飲食用具である。前記飲食用具は、前記円弧形の状態で、食品が収容され曲面を有するカップ形容器の側面に沿って取り付けられ、カップ形容器に収容された食品を食べるときは、カップ形容器から外して前記ジョイント部で前記持ち手の途中から略１８０°反転させて前記波形とし、手で持ちやすくして前記食品を食べるために使用する。
【０００８】
前記ジョイント部は、前記ジョイント部で分割される持ち手の一対のパーツの端部に形成され前記持ち手の長手方向に延出する一対の重なり部と、前記一対の重なり部を長手方向の側縁部同士を隣接させて連結する薄肉のヒンジ部が設けられ、前記一対の重なり部は、前記ヒンジ部により合掌状態で互いに重ねられる。前記一対の重なり部には、互いに重ねた状態で係止する突部と前記突部が嵌合される凹部が設けられている。前記飲食用具は、前記ヒンジ部が開かれ前記一対の重なり部が隣接した状態では、前記飲食用具の長手方向が前記円弧形であり、前記ヒンジ部が閉じられ前記一対の重なり部が重ねられた状態では、前記持ち手を略１８０°反転させた状態となり、前記飲食用具の長手方向が前記波形となる。
【０００９】
また、前記飲食用具の前記円弧形の外周面には、補強用のリブが設けられている。前記リブは、前記外周面の長手方向に沿う一対の側縁部に一定の高さで設けられ、前記リブの、前記外周面から立ち上がる高さは、前記持ち手の厚みとほぼ同じであり、前記一対の重なり部は前記持ち手の厚みとほぼ同じであり、前記ジョイント部で前記一対の重なり部を閉じたとき、前記一方の重なり部は前記他方の重なり部の前記リブと面一となる。
【００１０】
また、前記飲食用具は、前記円弧形の内周面は平坦な曲面である。前記ヒンジ部を各々開いたときの円弧形状は、中心角度が１８０°以下である。
【００１１】
また、前記飲食用具は、前記保持部の先端部に溝が平行に形成されたフォークである。なお、スプーンやナイフでもよく、その他の飲食用具でもよい。
【発明の効果】
【００１２】
この発明の飲食用具は、湾曲した円弧形であり円柱形や円錐台形あるいは楕円形のように容器側面に曲面を有するカップ形容器に沿って効率よく取り付けることができ、嵩張らず、商品の梱包効率等がよい。使用する時は、持ち手の途中で円弧形を１８０°反転させて持ち手を握りやすい波形として使いやすくして、カップ形容器に入れられた食品を容易に食べることが出来る。
【図面の簡単な説明】
【００１３】
【図１】この発明の第一実施形態のカップ麺用フォークの取付状態を示す斜視図である。
【図２】この発明の第一実施形態のカップ麺用フォークの使用状態を示す斜視図である。
【図３】この発明の第一実施形態のカップ麺用フォークの取付状態を示す正面図（ａ）と底面図（ｂ）、背面図（ｃ）である。
【図４】この発明の第一実施形態のカップ麺用フォークの使用状態を示す正面図（ａ）と底面図（ｂ）、背面図（ｃ）である。
【図５】図３（ｂ）のＡ―Ａ線拡大断面図である。
【図６】図４（ｂ）のＢ―Ｂ線拡大断面図である。
【図７】この発明の第二実施形態のカップ麺用フォークの取付状態を示す斜視図である。
【図８】この発明の第二実施形態のカップ麺用フォークの使用状態を示す斜視図である。
【図９】この発明の第二実施形態のカップ麺用フォークの取付状態を示す正面図（ａ）と底面図（ｂ）、背面図（ｃ）である。
【図１０】この発明の第二実施形態のカップ麺用フォークの使用状態を示す正面図（ａ）と底面図（ｂ）、背面図（ｃ）である。
【図１１】図９（ａ）のＣ―Ｃ線拡大断面図である。
【図１２】図１０（ｂ）のＤ―Ｄ線拡大断面図である。
【発明を実施するための形態】
【００１４】
以下、この発明の実施形態について図面に基づいて説明する。図１〜図６はこの発明の飲食用具の第一実施形態を示すもので、この実施形態の飲食用具はお湯を注いで調理する麺類等を食べるカップ麺用フォーク１０である。カップ麺用フォーク１０は、適度な硬さを有するポリプロピレン等の合成樹脂で一体に設けられ、細長い薄板状の持ち手１２が設けられ、持ち手１２の一方の端部には、先端部に溝１４が平行に形成され食品をさしたり巻きつけたりする保持部１６が設けられている。
【００１５】
カップ麺用フォーク１０の長手方向の途中２か所には、第１ジョイント部１８と第２ジョイント部２０が設けられ、カップ麺用フォーク１０は３個のパーツに分割されている。カップ麺用フォーク１０は、図１、図３に示すように第１ジョイント部１８、第２ジョイント部２０が開いた状態では、１個の大きい仮想円に沿って長手方向が全体に湾曲した円弧形であり、この実施形態では湾曲の内側の面を内周面１０ａと称し、湾曲の外側の面を外周面１０ｂと称する。カップ麺用フォーク１０の外周面１０ｂには、保持部１６の基端部１６ａから持ち手１２にかけて補強用のリブ２８が設けられている。リブ２８は、外周面１０ｂの長手方向の両側縁部に、外周面１０ｂから一定の高さで立ち上がって形成され、リブ２８の外周面１０ｂからの高さは持ち手１２の厚みとほぼ同じである。
【００１６】
次に、第１ジョイント部１８について説明する。第１ジョイント部１８は、保持部１６の基端部１６ａの近傍に設けられている。第１ジョイント部１８には、保持部１６の基端部１６ａに近いパーツに連続する重なり部２２と、反対のパーツに連続する重なり部２４が設けられている。重なり部２２，２４は、持ち手１２とほぼ同じ厚みで、円弧に沿う平面で形成され、互いに同じ矩形である。一対の重なり部２２，２４は、持ち手１２の長手方向に交差する方向に並べられ、互いに隣接する長手方向に対して平行な側縁部には、重なり部２２，２４を折り重ね可能に連結する薄肉のヒンジ部２６が設けられている。一方の重なり部２２には、ヒンジ部２６が設けられた側縁部はリブ２８が設けられておらず、ヒンジ部２６と反対側の側縁部は保持部１６の基端部１６ｂに連続してリブ２８が設けられている。重なり部２２に対面するこのリブ２８の内側面には、重なり部２２，２４が重なった状態で重なり部２４に係止する突部３０が設けられている。そして他方の重なり部２４には、ヒンジ部２６が設けられた側縁部はリブ２８が設けられておらず、ヒンジ部２６と反対側の側縁部もリブ２８が設けられておらず、ヒンジ部２６と反対側の側縁部はリブ２８と同じ幅で切り欠かれて少し細くなっている。重なり部２４のリブ２８と同じ幅で切り欠かれた側縁部には、重なり部２２，２４を互いに閉じたとき重なり部２２のリブ２８が嵌合されるものであり、突部３０が係合する凹部３２が設けられている。
【００１７】
次に、第２ジョイント部２０について説明する。第２ジョイント部２０は持ち手１２の途中に設けられ、この位置は、第１ジョイント部１８の保持部１６からの長さと、第２ジョイント部２０の持ち手１２の端部からの長さがほぼ等しくなる位置である。ここで持ち手１２は、第２ジョイント部２０よりも保持部１６に近いパーツを中間部１２ａと称し、反対側のパーツを端部１２ｂと称する。第２ジョイント部２０には、中間部１２ａに連続する重なり部３４と、端部１２ｂに連続する重なり部３６が設けられ、重なり部３４，３６は、持ち手１２とほぼ同じ厚みで、円弧に沿う平面で形成され、互いに同じ矩形である。一対の重なり部３４，３６は、持ち手１２の長手方向に交差する方向に並べられ、互いに隣接する長手方向に対して平行な側縁部には、重なり部３４，３６を折り重ね可能に連結する薄肉のヒンジ部３８が設けられている。一方の重なり部３６には、ヒンジ部３８が設けられた側縁部はリブ２８が設けられておらず、ヒンジ部３８と反対側の側縁部は持ち手１２の端部１２ｂに連続してリブ２８が設けられている。重なり部３６に対面するこのリブ２８の内側面には、重なり部３４，３６が重なった状態で重なり部３４に係止する図示しない突部が設けられている。そして他方の重なり部３４には、ヒンジ部３８が設けられた側縁部はリブ２８が設けられておらず、ヒンジ部３８と反対側の側縁部もリブ２８が設けられておらず、ヒンジ部３８と反対側の側縁部はリブ２８と同じ幅で切り欠かれて少し細くなっている。重なり部３４のリブ２８と同じ幅で切り欠かれた側縁部には、重なり部３４，３６を互いに閉じたとき重なり部３６のリブ２８が嵌合されるものであり、図示しない突部が係合する図示しない凹部が設けられている。
【００１８】
次に、カップ麺用フォーク１０の使用方法について説明する。カップ麺用フォーク１０は、円錐台形のカップ形容器４０に入れられたカップ麺を食べるために使用される。カップ麺用フォーク１０は、まず、図１、図３に示すように、第１ジョイント部１８の一対の重なり部２２，２４と、第２ジョイント部２０の重なり部３４，３６を、ヒンジ部２６，３８が開いた状態でそれぞれ隣接して成形される。この状態でカップ麺用フォーク１０は、１個の大きい仮想円に沿って長手方向が全体に湾曲した円弧形であり、内周面１０ａが仮想円の中心に向いた形状となり、円錐台形状のカップ形容器４０の側面に、内周面１０ａを沿わせるようにして取り付けられる。取り付けには、粘着剤やホットメルト剤等が使用される。
【００１９】
カップ形容器４０に入ったカップ麺を食べるときは、カップ形容器４０からカップ麺用フォーク１０を外し、第１ジョイント部１８の一対の重なり部２２，２４と、第２ジョイント部２０の重なり部３４，３６を、図５に示す開いた状態から、それぞれヒンジ部２６，３８で二つ折りして合掌状態で互いに重ねて、図６に示す閉じた状態にする。第１ジョイント部１８の重なり部２２のリブ２８の突部３０は、重なり部２４の凹部３２に係合され、閉じた状態に維持される。第２ジョイント部２０も同様に、図示しない突部が凹部に係合され、閉じた状態に維持される。このとき、第１ジョイント部１８の重なり部２４と、第２ジョイント部２０の重なり部３４は、リブ２８とほぼ同じ厚みとなり、自然で滑らかに連続する。保持部１６と、持ち手１２の中間部１２ａ、持ち手１２の端部１２ｂは、一方向から見ると順に外周面１０ｂ、内周面１０ａ、外周面１０ｂが連続し、反対側から見ると内周面１０ａ、外周面１０ｂ、内周面１０ａが連続し、中間部１２ａが長手方向の軸回りに１８０°反転した状態となる。つまり図２、図４に示すように互いに連続する３個の小さい仮想円に沿って長手方向が全体に波形となるので、持ち手１２が握りやすい形状になるとともに、保持部１６は食品を保持しやすい形状、すなわち、カップ形容器４０に収容されている食品を保持部１６により食べるために適した形状となる。収容されている食品は、麺類や米等、何でも良い。
【００２０】
この実施形態のカップ麺用フォーク１０によれば、円柱形や円錐台形あるいは楕円形のように容器側面に曲面を有するカップ形容器４０に沿って効率よく取り付けることができ、販売や運搬、保管の際にかさばらず便利である。使用時には持ちやすい形状に組み立てて、カップ形容器４０に収容された食品を容易に食べることができる。第１ジョイント部１８と第２ジョイント部２０を閉じて使用状態にした時、第１ジョイント部１８の重なり部２４と、第２ジョイント部２０の重なり部３４は、リブ２８とほぼ同じ厚みとなり、持ち手１２の長手方向の断面形状は周囲との間に段差がなくて持ちやすいものである。持ち手１２の長手方向に交差する断面形状は、リブ２８から外周面１０ｂにかけて凹形となり、指を当てた時に滑りにくく、しっかりと掴むことができる。重なり部２２，２４，３４，３６は、円弧形に沿う平面で形成されているため、互いに重ねたときにすきまなくしっかりと重ねられる。
【００２１】
カップ麺用フォーク１０の内周面１０ａは、突起のない平坦な曲面であるため、粘着剤やホットメルト剤等で容易にカップ形容器４０側面へ貼付可能であるとともに、貼付されたカップ麺用フォーク１０を隙間なく取り付けることが出来る。カップ麺用フォーク１０が付いていることで商品の価値を高め、消費者にアピールすることが出来る。
【００２２】
カップ麺用フォーク１０は合成樹脂で一体に成形され、合成樹脂の弾性を利用してヒンジ部２６，３８が曲がる構造となり、また突部３０と凹部３２が係合する構造であるため、組み立ての際に別部材が不要で、手で簡単に短時間で組み立てることができる。さらに、射出成形により容易に一体成形が可能であるとともに、成形後に二次加工することなく円弧形に形成されるため、きわめて生産性の高いものとなる。第１ジョイント部１８と第２ジョイント部２０を開いた状態では円弧形が１８０°以下であり、成形する際に、外周面１０ｂと外周面１０ｂに向かって金型を開くようなレイアウトで成形することができ、アンダーカットとならず容易に成形することが出来る。外周面１０ｂにリブ２８が設けられているため、持ち手１２が薄くても剛性を維持して強度が高く、持ち手１２を薄く作って、成形サイクルアップと成形材料低減によって生産コストを抑えることができる。しかも生産コストを抑えながら、使用する時は折れたりせず高い強度を得ることができる。
【００２３】
次にこの発明の第二実施形態について図７〜図１２に基づいて説明する。なお、ここで、上記実施形態と同様の部材は同様の符号を付して説明を省略する。この実施形態のカップ麺用フォーク４２は、適度な硬さを有する合成樹脂で一体に設けられ、細長い薄板状の持ち手１２と、持ち手１２の一方の端部には、先端部に溝１４が平行に形成され食品をさしたり巻きつけたりする保持部１６が設けられている。
【００２４】
カップ麺用フォーク４２の長手方向の長さのほぼ中間には、中間ジョイント部４４が設けられ、カップ麺用フォーク４２は２個のパーツに分割されている。カップ麺用フォーク４２は、図７、図９に示すように後述する中間ジョイント部４４が開いた状態で、１個の大きい仮想円に沿って長手方向が全体に湾曲した円弧形であり、湾曲の内側の面を内周面４２ａと称し、湾曲の外側の面を外周面４２ｂと称する。カップ麺用フォーク４２の外周面４２ｂの長手方向の両側縁部には、補強用のリブ２８が設けられ、リブ２８の外周面１０ｂからの高さは持ち手１２の厚みとほぼ同じである。
【００２５】
次に、中間ジョイント部４４について説明する。中間ジョイント部４４は、持ち手１２の途中に設けられている。中間ジョイント部４４には、保持部１６の基端部１６ａに近いパーツに連続する重なり部４６と、保持部１６と反対のパーツに連続する重なり部４８が設けられている。重なり部４６，４８は、持ち手１２とほぼ同じ厚みで、円弧に沿う平面で形成され、互いに同じ矩形である。一対の重なり部４６，４８は、持ち手１２の長手方向に交差する方向に並べられ、互いに隣接する長手方向に対して平行な側縁部には、重なり部４６，４８を折り重ね可能に連結する薄肉のヒンジ部５０が設けられている。一方の重なり部４６には、ヒンジ部５０が設けられた側縁部はリブ２８が設けられておらず、ヒンジ部５０と反対側の側縁部は保持部１６の基端部１６ｂに連続してリブ２８が設けられている。重なり部４６に対面するこのリブ２８の内側面には、重なり部４６，４８が重なった状態で重なり部４８に係止する突部５２が設けられている。そして他方の重なり部４８には、ヒンジ部５０が設けられた側縁部はリブ２８が設けられておらず、ヒンジ部５０と反対側の側縁部もリブ２８が設けられておらず、ヒンジ部５０と反対側の側縁部はリブ２８と同じ幅で切り欠かれて少し細くなっている。重なり部４８のリブ２８と同じ幅で切り欠かれた側縁部には、重なり部４６，４８を互いに閉じたとき重なり部４６のリブ２８が嵌合され、さらに突部５２が係合する凹部５４が設けられている。
【００２６】
次にカップ麺用フォーク４２の使用方法について説明する。カップ麺用フォーク４２は、円錐台形のカップ形容器４０に入れられたカップ麺を食べるために使用される。カップ麺用フォーク４２は、まず、図７、図９に示すように、中間ジョイント部４４の一対の重なり部４６，４８を、ヒンジ部５０を開いてそれぞれ隣接して並べた状態とし、１個の大きい仮想円に沿って長手方向が全体に湾曲した円弧形にして、内周面４２ａが仮想円の中心に向いた形状となり、円錐台形状のカップ形容器４０の側面に、内周面４２ａを沿わせるようにして取り付ける。
【００２７】
カップ形容器４０に入ったカップ麺を食べるときは、カップ形容器４０からカップ麺用フォーク４２を外し、中間ジョイント部４４の一対の重なり部４６，４８を、図１１に示す開いた状態から、ヒンジ部５０で二つ折りして合掌状態で互いに重ねて、図１１に示す閉じた状態にする。中間ジョイント部４４の重なり部４６のリブ２８の突部５２は、重なり部４８の凹部５４に係合され、閉じた状態が維持される。このとき、中間ジョイント部４４の重なり部４８は、リブ２８とほぼ同じ厚みとなり、自然で滑らかに連続する。保持部１６と持ち手１２は、外周面４２ｂと内周面４２ａが連続し、互いに長手方向の軸周りに１８０°反転した状態となる。つまり図８、図１０に示すように互いに連続する２個の小さい仮想円に沿って長手方向が全体に波形となるので、持ち手１２が握りやすい形状になるとともに、保持部１６は食品を保持しやすい形状、すなわち、カップ形容器４０に収容されている食品を保持部１６により食べるために適した形状となる。
【００２８】
この実施形態のカップ麺用フォーク４２によれば、上記実施形態と同様の効果を有するものである。カップ麺用フォーク４２には中間ジョイント部４４が一か所設けられているだけなので、構造がシンプルで、食べるときの組み立てがより簡単である。
【００２９】
この発明の飲食用具は、上記各実施の形態に限定されるものではなく、湾曲の強さは取り付けるカップ形容器に合わせて変更可能である。保持部の形状は、カップ形容器に収容されている食品に合わせて適宜変更可能であり、溝の数や深さは上記実施の形態以外でもよく、スプーンやナイフでもよく、その他の飲食用具でもよい。ジョイント部の数は、上記以外でもよい。飲食用具をカップ形容器の側面に取り付けた後、さらにシュリンク包装等で包装してもよい。
【符号の説明】
【００３０】
１０  カップ麺用フォーク
１０ａ  内周面
１０ｂ  外周面
１２  持ち手
１４  溝
１６  保持部
１８  第１ジョイント部
２０  第２ジョイント部
２２，２４，３４，３６  重なり部
２６，３８  ヒンジ部
２８  リブ
３０  突部
３２  凹部
【図１】
2014045930.tif 000003
【図２】
2014045930.tif 000004
【図３】
2014045930.tif 000005
【図４】
2014045930.tif 000006
【図５】
2014045930.tif 000007
【図６】
2014045930.tif 000008
【図７】
2014045930.tif 000009
【図８】
2014045930.tif 000010
【図９】
2014045930.tif 000011
【図１０】
2014045930.tif 000012
【図１１】
2014045930.tif 000013
【図１２】
2014045930.tif 000014